(57)【要約】【課題】本発明は、車載用電子機器において、衝突に対する安全性を高めることを目的とするものである。【解決手段】この目的を達成するために本発明は、後方自動車の接近を検出する接近センサ３と、この接近センサ３に接続された制御部６と、この制御部６に接続されたドア開放センサ８、シートベルト装着センサ９、および表示部５とを備え、前記制御部６は、前記接近センサ３による後方自動車の接近を検出し、かつ、ドア開放センサ８、およびシートベルト装着センサ９による降車動作を検出した場合に、前記表示部５により後方への降車を報知させる構成とした。【選択図】図１
2013018321.tif 000002
【特許請求の範囲】
【請求項１】
後方自動車の接近を検出する接近センサと、この接近センサに接続された制御部と、この制御部に接続された降車監視部、および表示部とを備え、
前記制御部は、前記接近センサによる後方自動車の接近を検出し、かつ、前記降車監視部による降車動作を検出した場合に、前記表示部により後方への降車を報知させる構成とした車載用電子機器。
【請求項２】
制御部に、車速センサを接続するとともに、この制御部は、前記車速センサによる自自動車の停止状態を検出した際に、表示部により後方への降車を報知させる構成とした請求項１に記載の車載用電子機器。
【請求項３】
降車監視部は、シートベルト装着センサ、ドア開放センサ、重量センサの少なくとも一つを有する請求項２に記載の車載用電子機器。
【請求項４】
制御部は、表示部に、降車準備表示、降車動作表示、降車中止表示の少なくとも一つを表示させる構成とした請求項１から３のいずれか一つに記載の車載用電子機器。
【請求項５】
制御部は、表示部に、降車準備表示をさせた後に、降車動作表示をさせ、この降車動作表示をさせた後に、降車中止表示を表示させる構成とした請求項４に記載の車載用電子機器。
【請求項６】
制御部で行う表示部への降車準備表示は黄色系表示とし、降車動作表示は赤色系表示とし、降車中止表示は緑色系表示とした請求項５に記載の車載用電子機器。
【請求項７】
請求項１から６のいずれか一つに記載の電子機器を搭載した自動車であって、本体の後方側に表示部を配置した自動車。
【発明の詳細な説明】
【技術分野】
【０００１】
本発明は、車載用電子機器とそれを搭載した自動車に関するものである。
【背景技術】
【０００２】
従来のこの種車載用電子機器としては、例えば特許文献１に示すものが知られている。すなわち、後方自動車の接近を接近センサで検出し、ドアの開放が危険であると判定したときには、ドアの開放範囲を規制したり、車内への警報を発するようにしている。
【先行技術文献】
【特許文献】
【０００３】
【特許文献１】特開２００７−１４５２４６号公報
【発明の概要】
【発明が解決しようとする課題】
【０００４】
前記従来例においては、上述したように後方自動車の接近を接近センサで検出し、ドアの開放が危険であると判定したときには、ドアの開放範囲を規制したり、車内への警報を発するようにしているので、ドア開放時における後方自動車の衝突を抑制することができる。しかしながら、後方自動車にとっては、前方停止自動車から降車することが理解できていないので、前者が予測した後方自動車の進行方向に反して、進行方向を変更してしまうこともあり、その結果としてドア等に後方自動車が衝突することもあった。
【０００５】
そこで、本発明は、衝突に対する安全性を高めることを目的とするものである。
【課題を解決するための手段】
【０００６】
そして、この目的を達成するために、本発明は、後方自動車の接近を検出する接近センサと、この接近センサに接続された制御部と、この制御部に接続された降車監視部、および表示部とを備え、前記制御部は、前記接近センサによる後方自動車の接近を検出し、かつ、前記降車監視部による降車動作を検出した場合に、前記表示部により後方への降車を報知させる構成とし、これにより所期の目的を達成するものである。
【発明の効果】
【０００７】
以上のように本発明は、後方自動車の接近を検出する接近センサと、この接近センサに接続された制御部と、この制御部に接続された降車監視部、および表示部とを備え、前記制御部は、前記接近センサによる後方自動車の接近を検出し、かつ、前記降車監視部による降車動作を検出した場合に、前記表示部により後方への降車を報知させる構成としたものであるので、衝突に対する安全性を高めることができる。
すなわち、本発明においては、前記接近センサによる後方自動車の接近を検出し、かつ、前記降車監視部による降車動作を検出した場合に、前記表示部により後方への降車を報知させる構成としたもの、つまり、後方自動車等に降車動作を事前に報知することができるものであるので、衝突に対する安全性を高めることができるのである。
【図面の簡単な説明】
【０００８】
【図１】本発明の実施形態にかかる車載用電子機器を搭載した自動車の平面図
【図２】同車載用電子機器のブロック図
【図３】同車載用電子機器の要部の構成図
【図４】同車載用電子機器の動作フローチャート
【発明を実施するための形態】
【０００９】
以下、本発明の一実施形態にかかる車載用電子機器を自動車に適用したものを添付図面とともに説明する。
【００１０】
（実施の形態）
図１において、１は自動車の本体を示し、この本体１の左右両側の前後にはそれぞれドア２が設けられている。また、本体１の後方には、後方からの自動車の接近を検出する接近センサ３と、本体１の後方を確認するカメラ４とを表示部５が設けられている。
【００１１】
図２は、車載用電子機器のブロック図を示し、前記接近センサ３、カメラ４、表示部５は、制御部６に接続されている。また、制御部６には、自動車の車速を検出する車速センサ７と、ドア２の開放動作を検出するドア開放センサ８と、運転者や同乗者のシートベルトの装着状態を検出するシートベルト装着センサ９、および、ドア２のロックを行うドアロック手段１０、ドア２のロックを放置するスピーカ１１が接続されている。
【００１２】
前記制御部６は、前記車速センサ７、ドア開放センサ８、シートベルト装着センサ９が接続された自車状況検出部１２と、この自車状況検出部１２に接続された通知判定部１３と、ドアロック手段１０、スピーカ１１間に設けた通知部１４と、前記通知判定部１３と前記接近センサ３、カメラ４間に設けた移動体検出部１５により構成されている。
【００１３】
図３は、ドア開放センサ８の一例を示したもので、ドアノブ１６に設けたタッチセンサにより構成されている。
【００１４】
以上の構成において、図１に示す如く、本体１から出るためにドア２を開放しようとする状態について説明する。
【００１５】
まず、このときは、制御部６の通知判定部１３は、車速センサ７、自車状況検出部１２からの情報により自動車が停止しているか否かを判定する（図４のＳ１）。
【００１６】
また、シートベルト装着センサ９により人が乗車しているか否かの検出を行う（図４のＳ２）。
【００１７】
この状態で降車準備のためにシートベルトをはずすとそれをシートベルト装着センサ９が検出する。（図４のＳ３）。
【００１８】
この状態になると、本体１の後方から接近する自動車や人などを接近センサ３とカメラ４が検出し、移動体検出部１５を介して通知判定部１３に通知が行われる（図４のＳ４）。
【００１９】
このＳ４の状態において、後方からの接近（自動車や人など）が検出された場合には、通知判定部１３は、通知部１４を介して表示部５に降車準備状況であることを知らせる。
【００２０】
つまり、この後方から接近する自動車や人などに本体１からの降車が準備されていることを知らしめる。
【００２１】
この降車準備表示は、表示部５に、例えば黄色で（降車予告）と表示することにより、後方から接近する自動車や人などに注意を喚起する（図４のＳ５）。
【００２２】
次に、ドア２を開放すべく図３に示したドアノブ１６に触れると、それをドア開放センサ８が検出し（図４のＳ６）、このときには通知判定部１３は、通知部１４を介して表示
部５に降車動作状況であることを知らせる。
【００２３】
つまり、この後方から接近する自動車や人などに本体１からの降車動作が行われることを知らしめる。
【００２４】
この降車動作表示は、表示部５に、例えば赤色で（降車動作）と表示することにより、後方から接近する自動車や人などに注意を喚起する（図４のＳ７）。
【００２５】
このＳ６・Ｓ７において、前記接近センサ３とカメラ４により後方からの接近が移動体検出部１５を介して通知判定部１３に通知されているときには、通知判定部１３は、通知部１４からドアロック手段１０とスピーカ１１に指示を出す（図４のＳ８）。
【００２６】
すなわち、このときには、ドア２はドアロック手段１０によってその開放が阻止され、またスピーカ１１からは、後方接近があるという警告が発せられることになる。
【００２７】
また同時に、通知判定部１３は、通知部１４を介して表示部５に降車中止表示を行うこととなる。この降車中止表示は、表示部５に、例えば緑色で（降車中止）と表示することにより、後方から接近する自動車や人などに安心感を与えるものとなる（図４のＳ９）。
【産業上の利用可能性】
【００２８】
以上のように本発明は、後方自動車の接近を検出する接近センサと、この接近センサに接続された制御部と、この制御部に接続された降車監視部、および表示部とを備え、前記制御部は、前記接近センサによる後方自動車の接近を検出し、かつ、前記降車監視部による降車動作を検出した場合に、前記表示部により後方への降車を報知させる構成としたものであるので、衝突に対する安全性を高めることができる。
【００２９】
すなわち、本発明においては、前記接近センサによる後方自動車の接近を検出し、かつ、前記降車監視部による降車動作を検出した場合に、前記表示部により後方への降車を報知させる構成としたもの、つまり、後方自動車等に降車動作を事前に報知することができるものであるので、衝突に対する安全性を高めることができるのである。
【００３０】
したがって、車載用電子機器としての活用が期待されるものとなる。
【符号の説明】
【００３１】
１  本体
２  ドア
３  接近センサ
４  カメラ
５  表示部
６  制御部
７  車速センサ（降車監視部）
８  ドア開放センサ（降車監視部）
９  シートベルト装着センサ（降車監視部）
１０  ドアロック手段
１１  スピーカ
１２  自車状況検出部
１３  通知判定部
１４  通知部
１５  移動体検出部
１６  ドアノブ
【図１】
2013018321.tif 000003
【図２】
2013018321.tif 000004
【図３】
2013018321.tif 000005
【図４】
2013018321.tif 000006